(57)【要約】【課題】  非ロングタームエボリューション（ＬＴＥ）ネットワークの回線交換フォールバック（ＣＳＦＢ）呼を完了後にＬＴＥベースのネットワークにキャンピングバックする装置および方法を提供する。【解決手段】  移動体通信装置は、ＬＴＥベースのネットワークおよび非ＬＴＥネットワークへの、またはＬＴＥベースのネットワークおよび非ＬＴＥネットワークからの無線送受信を実行する無線モジュール、およびＣＳＦＢ呼の完了に応じて任意の発信のＣＳサービスをブロックし、非ＬＴＥネットワークの進行中のパケット交換（ＰＳ）セッションを有し、無線モジュールを介してアイドルモードのセル再選択手順を実行し、ブロックされている発信のＣＳサービスに応じて前記ＬＴＥベースのネットワークにキャンプバックし、ＬＴＥベースのネットワークへのキャンピングバックに応じて発信のＣＳサービスのブロックを解除する制御モジュールを含む。【選択図】  図１
2014060719.tif 000002
【特許請求の範囲】
【請求項１】
移動体通信装置であって、
ロングタームエボリューション（ＬＴＥ）ベースのネットワークおよび非ＬＴＥネットワークへの、またはＬＴＥベースのネットワークおよび非ＬＴＥネットワークからの無線送受信を実行する無線モジュール、および
ＣＳフォールバック（ＣＳＦＢ）呼の完了に応じて任意の発信の回線交換（ＣＳ）サービスをブロックし、非ＬＴＥネットワークの進行中のパケット交換（ＰＳ）セッションを有し、前記無線モジュールを介してアイドルモードのセル再選択手順を実行し、ブロックされている前記発信のＣＳサービスに応じて前記ＬＴＥベースのネットワークにキャンプバックし、前記ＬＴＥベースのネットワークへのキャンピングバックに応じて発信のＣＳサービスのブロックを解除する制御モジュールを含む
移動体通信装置。
【請求項２】
前記制御モジュールは、アイドルモードのセル再選択手順を実行する前に、前記無線モジュールを介してシグナリング接続解放通知（ＳＣＲＩ）を非ＬＴＥネットワークに更に送信する請求項１に記載の移動体通信装置。
【請求項３】
前記制御モジュールは、前記ＳＣＲＩを送信する前に、システム情報ブロックタイプ１９（ＳＩＢ１９）が前記無線モジュールを介して非ＬＴＥネットワークから受信されているかどうかを判定し、前記ＳＣＲＩは、前記非ＬＴＥネットワークから受信されていないＳＩＢ１９に応じて解放理由を含まない請求項２に記載の移動体通信装置。
【請求項４】
前記制御モジュールは、前記ＳＩＢ１９が前記非ＬＴＥネットワークから受信されているＳＩＢ１９に応じてＬＴＥベースのネットワークの情報を含むかどうかを更に判定し、前記ＳＣＲＩは、前記ＬＴＥベースのネットワークの情報を含まないＳＩＢ１９に応じて解放理由を含まず、且つ前記ＳＣＲＩは、前記ＬＴＥベースのネットワークの情報を含むＳＩＢ１９に応じて“ＵＥリクエストＰＳデータセッション終了（ＵＥ Ｒｅｑｕｅｓｔｅｄ ＰＳ Ｄａｔａ Ｓｅｓｓｉｏｎ Ｅｎｄ）”に設定された前記解放理由を含む請求項３に記載の移動体通信装置。
【請求項５】
前記制御モジュールは、前記無線モジュールを介して、前記非ＬＴＥネットワークから前記ＳＣＲＩに応じたレイヤ２確認応答（Ｌａｙｅｒ ２ Ａｃｋｎｏｗｌｅｄｇｅｍｅｎｔ； Ｌ２ Ａｃｋ）を更に受信し、前記Ｌ２ Ａｃｋの受信に応じてガードタイマーを開始する請求項２に記載の移動体通信装置。
【請求項６】
前記制御モジュールは、前記ガードタイマーが無効になる前に、前記無線モジュールを介して、無線リソース制御（ＲＲＣ）接続解放通知が前記非ＬＴＥネットワークから受信されているかどうかを更に判定し、前記ガードタイマーが無効になる前に、前記ＲＲＣ接続解放通知を受信するのに応じて、前記ガードタイマーを停止して、アイドルモードに入り、前記アイドルモードのセル再選択手順を実行し、且つ前記ガードタイマーが無効になる前に、前記ＲＲＣ接続解放通知を受信しないのに応じて、ローカルＲＲＣ接続解放通知手順を実行して、前記アイドルモードに入り、前記アイドルモードのセル再選択手順を実行する請求項５に記載の移動体通信装置。
【請求項７】
前記ＬＴＥベースの技術は、ＬＴＥ技術、ＴＤ−ＬＴＥ技術、またはＬＴＥ−Ａｄｖａｎｃｅｄ技術であり、前記非ＬＴＥネットワークは、ユニバーサル移動通信システム（ＵＭＴＳ）である請求項１に記載の移動体通信装置。
【請求項８】
非ＬＴＥネットワークのＣＳフォールバック（ＣＳＦＢ）呼の完了後、ロングタームエボリューション（ＬＴＥ）ベースのネットワークにキャンプバックする移動体通信方法は、
前記ＣＳＦＢ呼の完了に応じて任意の発信の回線交換（ＣＳ）サービスをブロックし、前記非ＬＴＥネットワークの進行中のパケット交換（ＰＳ）セッションを有するステップ、
アイドルモードのセル再選択手順を実行し、ブロックされている前記発信のＣＳサービスに応じて前記ＬＴＥベースのネットワークにキャンプバックするステップ、および
前記ＬＴＥベースのネットワークへのキャンピングバックに応じて前記発信のＣＳサービスのブロックを解除するステップを含む
移動体通信方法。
【請求項９】
前記アイドルモードのセル再選択手順を実行する前に、シグナリング接続解放通知（ＳＣＲＩ）を前記非ＬＴＥネットワークに送信するステップを更に含む請求項８に記載の方法。
【請求項１０】
前記ＳＣＲＩを送信する前に、システム情報ブロックタイプ１９（ＳＩＢ１９）が非ＬＴＥネットワークから受信されているかどうかを判定するステップを更に含み、
前記ＳＣＲＩは、前記非ＬＴＥネットワークから受信されていないＳＩＢ１９に応じて解放理由を含まない請求項９に記載の方法。
【請求項１１】
前記ＳＩＢ１９が前記非ＬＴＥネットワークから受信されているＳＩＢ１９に応じてＬＴＥベースのネットワークの情報を含むかどうかを判定するステップを更に含み、
前記ＳＣＲＩは、前記ＬＴＥベースのネットワークの情報を含まないＳＩＢ１９に応じて解放理由を含まず、且つ
前記ＳＣＲＩは、前記ＬＴＥベースのネットワークの情報を含むＳＩＢ１９に応じて“ＵＥリクエストＰＳデータセッション終了”に設定された前記解放理由を含む請求項１０に記載の方法。
【請求項１２】
前記非ＬＴＥネットワークから前記ＳＣＲＩに応じたレイヤ２確認応答（Ｌａｙｅｒ ２ Ａｃｋｎｏｗｌｅｄｇｅｍｅｎｔ； Ｌ２ Ａｃｋ）を受信するステップ、および
前記Ｌ２ Ａｃｋの受信に応じてガードタイマーを開始するステップを更に含む請求項９に記載の方法。
【請求項１３】
前記ガードタイマーが無効になる前に、無線リソース制御（ＲＲＣ）接続解放通知が前記非ＬＴＥネットワークから受信されているかどうか判定するステップ、
前記ガードタイマーが無効になる前に、前記ＲＲＣ接続解放通知の受信に応じて、前記ガードタイマーを停止して、アイドルモードに入り、前記アイドルモードのセル再選択手順を実行するステップ、および
前記ガードタイマーが無効になる前に、前記ＲＲＣ接続解放通知を受信しないのに応じて、ローカルＲＲＣ接続解放通知手順を実行して、前記アイドルモードに入り、前記アイドルモードのセル再選択手順を実行するステップを更に含む請求項１２に記載の方法。
【請求項１４】
前記ＬＴＥベースの技術は、ＬＴＥ技術、ＴＤ−ＬＴＥ技術、またはＬＴＥ−Ａｄｖａｎｃｅｄ技術であり、前記非ＬＴＥネットワークは、ユニバーサル移動通信システム（ＵＭＴＳ）である請求項８〜１４のいずれかに記載の方法。
【発明の詳細な説明】
【技術分野】
【０００１】
本発明は、ユーザー端末（ＵＥ）が回線交換フォールバック（ＣＳＦＢ）呼を完了した後のＵＥの操作に関し、特に、ＵＥが非ＬＴＥネットワークの回線交換フォールバック（ＣＳＦＢ）呼を完了後にＵＥがロングタームエボリューション（ＬＴＥ）ベースのネットワークにキャンプバックするように支援する移動体通信装置および方法に関するものである。
【背景技術】
【０００２】
ユビキタスコンピューティングおよびネットワーキングの需要の増加に伴い、各種の無線技術、例えば、ワイヤレスフィディリティー（ＷｉＦｉ）技術、ブルートゥース技術、およびジグビー技術などを含む無線ＬＡＮ（ＷＬＡＮ）技術などが開発されてきた。
セルラー技術は、グローバルシステムフォーモービルコミュニケーションズ（ＧＳＭ（ＴＭ））技術、汎用パケット無線サービス（ＧＰＲＳ）技術、グローバル進化型高速データレート（Ｅｎｈａｎｃｅｄ Ｄａｔａ ｒａｔｅｓ ｆｏｒ ＧｌｏｂａｌＥｖｏｌｕｔｉｏｎ； ＥＤＧＥ）技術、広帯域符号分割多元接続（Ｗｉｄｅｂａｎｄ Ｃｏｄｅ Ｄｉｖｉｓｉｏｎ Ｍｕｌｔｉｐｌｅ Ａｃｃｅｓｓ； ＷＣＤＭＡ（ＴＭ））技術、符号分割多元接続２０００（Ｃｏｄｅ Ｄｉｖｉｓｉｏｎ Ｍｕｌｔｉｐｌｅ Ａｃｃｅｓｓ ２０００； ＣＤＭＡ２０００）技術、時分割同期符号多元接続（Ｔｉｍｅ Ｄｉｖｉｓｉｏｎ−Ｓｙｎｃｈｒｏｎｏｕｓ Ｃｏｄｅ Ｄｉｖｉｓｉｏｎ Ｍｕｌｔｉｐｌｅ Ａｃｃｅｓｓ； ＴＤ−ＳＣＤＭＡ）技術、ワイマックス（Ｗｏｒｌｄｗｉｄｅ Ｉｎｔｅｒｏｐｅｒａｂｉｌｉｔｙ ｆｏｒ Ｍｉｃｒｏｗａｖｅ  Ａｃｃｅｓｓ； ＷｉＭＡＸ）技術、ロングタームエボリューション（Ｌｏｎｇ Ｔｅｒｍ Ｅｖｏｌｕｔｉｏｎ； ＬＴＥ）技術、時分割ＬＴＥ（ＴＤ−ＬＴＥ）技術、およびＬＴＥ−Ａｄｖａｎｃｅｄ技術などを含む。
【０００３】
ユーザーの利便性およびに柔軟性のために、ほとんどのユーザー端末（ＵＥ）（または移動局（ＭＳ）とも呼ばれ得る）は、目下、１つ以上の無線技術をサポートしている。例えば、ＷＣＤＭＡ（ＴＭ）技術およびＬＴＥ技術の両方をサポートするＵＥを例にとると、一般的に、無線サービスがサービスネットワークの両方で使用可能な時、ＬＴＥネットワークは、ユニバーサル移動通信システム（ＵＭＴＳ）ネットワークよりも高い帯域幅を有する無線サービスを提供する可能性があるため、ＵＥは、ユニバーサル移動通信システム（ＵＭＴＳ）よりもＬＴＥネットワークを選ぶ。しかしながら、いくつかのケースでは、回線交換フォールバック（ＣＳＦＢ）と呼ばれる技術がＵＥに用いられることができる。これは、特に、例えばＣＳ呼などの回線交換（ＣＳ）サービスにアクセスするようにＬＴＥネットワークに既にキャンプオン（ｃａｍｐ ｏｎ）され、ＵＭＴＳネットワークに切り替えられる。ＣＳＦＢ技術を用いたＣＳ呼は一般的に、ＣＳＦＢ呼と呼ばれる。
【０００４】
３ＧＰＰ ＴＳ２５.３３１仕様、ｖ１０．２．０に基づいて、ＵＥは、ＣＳＦＢ呼を完了した後、ＵＥとＵＭＴＳネットワークとの間に展開しているパケットスイッチ（ＰＳ）セッションが存在する場合、ＵＥは、例えば、無線リソース制御（ＲＲＣ）接続解放通知、またはＵＴＲＡＮからのハンドオーバーなどのＵＭＴＳネットワークから特定のメッセージを受信した時にのみ、ＬＴＥネットワークにキャンプバック（ｃａｍｐ ｂａｃｋ）する可能性がある。しかしながら、ＵＭＴＳネットワークは、ＵＭＴＳネットワークのオペレータがＵＥをＵＭＴＳネットワークに保持したいために、特定のメッセージを展開しない可能性がある。よって、ＵＥは、ＵＭＴＳネットワークに留まり、ＬＴＥネットワークにキャンプバックして好ましいより高速な無線サービスを得ることができない可能性がある。
【発明の概要】
【発明が解決しようとする課題】
【０００５】
本発明は、非ＬＴＥネットワークの回線交換フォールバック（ＣＳＦＢ）呼を完了後にＬＴＥベースのネットワークにキャンピングバックする装置および方法を提供する。
【課題を解決するための手段】
【０００６】
上述の問題を解決するために、本発明は、進行中のパケット交換（ＰＳ）セッションを有しながら、ＵＥがＣＳＦＢ呼を完了した後に非ＬＴＥネットワークからＬＴＥベースのネットワークにキャンプバックするのを支援する装置および方法を提供する。
【０００７】
本発明の１つの態様では、移動体通信装置が提供される。移動体通信装置は、無線モジュールおよび制御モジュールを含む。無線モジュールは、ＬＴＥベースのネットワークおよび非ＬＴＥネットワークへの、またはＬＴＥベースのネットワークおよび非ＬＴＥネットワークからの無線送受信を実行する。制御モジュールは、ＣＳＦＢ呼の完了に応じて任意の発信の回線交換（ＣＳ）サービスをブロックし、非ＬＴＥネットワークの進行中のパケット交換（ＰＳ）セッションを有し、無線モジュールを介してアイドルモードのセル再選択手順を実行し、ブロックされている発信のＣＳサービスに応じてＬＴＥベースのネットワークにキャンプバックする。また、制御モジュールは、ＬＴＥベースのネットワークへのキャンピングバックに応じて発信のＣＳサービスのブロックを解除する。
【０００８】
本発明のもう１つの態様では、非ＬＴＥネットワークのＣＳＦＢ呼の完了後、ＬＴＥベースのネットワークにキャンプバックする移動体通信装置の方法を提供する。前記方法は、ＣＳＦＢ呼の完了に応じて任意の発信の回線交換（ＣＳ）サービスをブロックし、非ＬＴＥネットワークの進行中のパケット交換（ＰＳ）セッションを有するステップ、アイドルモードのセル再選択手順を実行し、ブロックされている発信のＣＳサービスに応じてＬＴＥベースのネットワークにキャンプバックするステップ、ＬＴＥベースのネットワークへのキャンピングバックに応じて発信のＣＳサービスのブロックを解除するステップを含む。
【０００９】
本発明の他の態様及び特徴は、非ＬＴＥネットワークの回線交換フォールバック（ＣＳＦＢ）呼を完了後にＬＴＥベースのネットワークにキャンピングバックする移動体通信装置および方法の特定の実施の形態の以下の説明を考慮した後、当業者により明白となるであろう。
【発明の効果】
【００１０】
本発明によれば、非ＬＴＥネットワークのＣＳＦＢ呼の完了後にＬＴＥベースのネットワークにキャンピングバックすることができる。
本発明は、添付の図面と併せて下記の詳細な説明と実施例を解釈することによって、より完全に理解されることができる。
【図面の簡単な説明】
【００１１】
【図１】本発明の実施形態に基づいた無線通信環境のブロック図である。
【図２】本発明の実施形態に基づいた移動体通信装置を示すブロック図である。
【図３】本発明の実施形態に基づいて非ＬＴＥネットワークの回線交換フォールバック（ＣＳＦＢ）呼を完了後にＬＴＥベースのネットワークにキャンプバックする移動体通信装置および方法を示すフローチャートである。
【図４】本発明の実施形態に基づいてＵＭＴＳネットワークの回線交換フォールバック（ＣＳＦＢ）呼を完了後にＬＴＥネットワークにキャンプバックする移動体通信装置および方法を示すフローチャート（１）を表している。
【図５】本発明の実施形態に基づいてＵＭＴＳネットワークの回線交換フォールバック（ＣＳＦＢ）呼を完了後にＬＴＥネットワークにキャンプバックする移動体通信装置および方法を示すフローチャート（２）を表している。
【発明を実施するための形態】
【００１２】
以下の説明は、本発明を実施するベストモードが開示されている。この説明は、本発明の一般原理を例示する目的のためのもので本発明を限定するものではない。本発明の範囲は、添付の請求の範囲を参考にして決定される。本発明の実施形態は、ソフトウェア、ハードウェア、ファームウェア、またはその組み合わせに実現されることができるだろう。
【００１３】
図１は、本発明の実施形態に基づいた無線通信環境のブロック図である。無線通信環境１００は、移動体通信装置１１０、ＬＴＥベースのネットワーク１２０、および非ＬＴＥネットワーク１３０を含み、ＬＴＥベースのネットワーク１２０は、ＰＳドメインにのみ無線サービスを提供し、非ＬＴＥネットワーク１３０は、ＣＳおよびＰＳドメインの両方に無線サービスを提供する。特に、ＬＴＥベースのネットワーク１２０および非ＬＴＥネットワーク１３０は、ＣＳＦＢ技術に関する特定の手順をサポートし、移動体通信装置１１０がＬＴＥベースのネットワーク１２０から非ＬＴＥネットワーク１３０に切り替って、ＣＳＦＢ呼などのＣＳサービスにアクセスするように支援する。
【００１４】
ＬＴＥベースのネットワーク１２０は、ＬＴＥネットワーク、ＴＤ−ＬＴＥネットワーク、ＬＴＥ−Ａｄｖａｎｃｅｄネットワーク、または任意のＬＴＥ技術系列の次世代の進化的技術を用いた任意のサービスネットワークであることができる。非ＬＴＥネットワーク１３０は、ユニバーサル移動通信システム（ＵＭＴＳ）ネットワーク、ＣＤＭＡ２０００ネットワーク、または例えば、高速ダウンリンクパケットアクセス（ＨＳＰＤＡ）技術、高速パケットアクセス（ＨＳＰＡ）技術、ＣＤＭＡ２０００ １ｘ技術、ＣＤＭＡ２０００ １ｘＥｖｏｌｕｔｉｏｎ−Ｄａｔａ Ｏｐｔｉｍｉｚｅｄ（ＥＶ−ＤＯ）技術などのＷＣＤＭＡ（ＴＭ）またはＣＤＭＡ２０００技術系列の進化的技術を用いた任意のサービスネットワーク、または例えばＴＤ−ＳＣＤＭＡネットワークなどの他の第３世代セルラーネットワークであることができる。
【００１５】
具体的に言えば、ＬＴＥベースのネットワーク１２０は、アクセスネットワーク１２１およびコアネットワーク１２２を含み、非ＬＴＥネットワーク１３０は、アクセスネットワーク１３１およびコアネットワーク１３２を含み、アクセスネットワーク１２１および１３１は、コアネットワーク１２２および１３２によって制御されて、ＬＴＥベースのネットワーク１２０および非ＬＴＥネットワーク１３０にそれぞれ無線送受信の機能を提供する。例えば、ＬＴＥベースのネットワーク１２０がＬＴＥ／ＬＴＥ−Ａｄｖａｎｃｅｄネットワークである場合、アクセスネットワークは、進化型ユニバーサル地上無線アクセスネットワーク（Ｅｖｏｌｖｅｄ−ＵＴＲＡＮ； Ｅ−ＵＴＲＡＮ）であることができ、コアネットワーク２２は、ホーム加入者サーバ（ＨＳＳ）、移動管理エンティティ（ＭＭＥ）、サービングゲートウェイ（Ｓ−ＧＷ）、およびパケットデータネットワークゲートウェイ（ＰＤＮ−ＧＷまたはＰ−ＧＷ）を含む進化型パケットコア（ＥＰＣ）であることができる。非ＬＴＥネットワーク１３０がＵＭＴＳネットワークである場合、アクセスネットワークは、ＵＴＲＡＮであることができ、コアネットワークは、ホーム加入者サーバ（ＨＬＲ）、少なくとも１つの加入者パケット交換機（ＳＧＳＮ）、および少なくとも１つの中継パケット交換機（ＧＧＳＮ）を含む汎用パケット無線サービス（ＧＰＲＳ）コアであることができる。
【００１６】
移動体通信装置１１０は、スマートフォン、パネルコンピュータ（ＰＣ）、ラップトップコンピュータ、またはＬＴＥベースのネットワーク１２０および非ＬＴＥネットワーク１３０によって用いられる少なくともＬＴＥベースの技術および非ＬＴＥ技術をそれぞれサポートする任意のコンピュータ装置であることができる。移動体通信装置１１０は、ＬＴＥベースのネットワーク１２０および非ＬＴＥネットワーク１３０の１つまたは両方に選択的に接続し、無線サービスを得ることができる。
【００１７】
図２は、本発明の実施形態に基づいた移動体通信装置１１０を表すブロック図である。移動体通信装置１１０は、無線モジュール１０および制御モジュール２０を含む。無線モジュール１０は、ＬＴＥベースのネットワーク１２０および非ＬＴＥネットワーク１３０への、またはＬＴＥベースのネットワーク１２０および非ＬＴＥネットワーク１３０からの無線送受信の機能を実行するのに用いられる。制御モジュール２０は、無線モジュール１０および他の機能的構成要素（図示されていない）（例えば、マンマシンインターフェース（ＭＭＩ）となる表示ユニットおよび／またはキーパッド、アプリケーションまたは通信プロトコルなどのプログラムコードを保存する保存ユニットなど）の動作を制御するのに用いられる。また、制御モジュール２０は、非ＬＴＥネットワーク１３０のＣＳＦＢ呼を完了後にＬＴＥベースのネットワーク１２０にキャンピングバック方法を実行する無線モジュール１０を制御する。
【００１８】
更に明確にするために、無線モジュール１０は、無線周波数（ＲＦ）ユニット（図示されていない）であることができ、制御モジュール２０は、ベースバンドユニット（図示されていない）の汎用プロセッサまたはマイクロ制御ユニット（ＭＣＵ）であることができる。ベースバンドユニットは、複数のハードウェアデバイスを含み、アナログデジタル変換（ＡＤＣ）／デジタルアナログ変換（ＤＡＣ）、ゲイン調整、変調／復調、符号化／復号化などを含むベースバンド信号処理を実行する。ＲＦユニットは、ＲＦ無線信号を受信し、受信したＲＦ無線信号をベースバンド信号に変換し、ベースバンドユニットによって処理されるか、またはベースバンドユニットからベースバンド信号を受信し、受信したベースバンド信号をＲＦ無線信号に変換し、後に送信される。ＲＦユニットは、複数のハードウェア装置も含んで無線周波数変換を実行する。例えば、ＲＦユニットは、ミキサを含み、ベースバンド信号を移動通信システムの無線周波数で振幅のキャリアで掛け合わせる。無線周波数は、ＷＣＤＭＡ（ＴＭ）技術に用いられる９００ＭＨｚ、１９００ＭＨｚ、または２１００ＭＨｚ、またはＬＴＥ／ＬＴＥ−Ａｄｖａｎｃｅｄ技術に用いられる９００ＭＨｚ、２１００ＭＨｚ、または２.６ＧＨｚ、または他の用いられる無線技術によって決まることができる。
【００１９】
図３は、本発明の実施形態に基づいて非ＬＴＥネットワークの回線交換フォールバック（ＣＳＦＢ）呼を完了後にＬＴＥベースのネットワークにキャンプバックする移動体通信装置および方法を示すフローチャートである。この実施形態では、移動体通信装置は、始めにＬＴＥベースのネットワークにキャンプオンし、次いで非ＬＴＥネットワークに切り替り、ＣＳＦＢ呼を実行する。まず、移動体通信装置は、ＣＳＦＢ呼の完了に応じて任意の発信の回線交換（ＣＳ）サービスをブロックし、非ＬＴＥネットワークの進行中のパケット交換（ＰＳ）セッションを有する（ステップＳ３１０）。次いで、移動体通信装置は、アイドルモードのセル再選択手順を実行し、ブロックされている発信のＣＳサービスに応じてＬＴＥベースのネットワークにキャンプバックする（ステップＳ３２０）。次いで、移動体通信装置は、ＬＴＥベースのネットワークへのキャンピングバックに応じて発信のＣＳサービスのブロックを解除し（ステップＳ３３０）、この処理方法を終了する。
【００２０】
図４Ａおよび４Ｂは、本発明の実施形態に基づいてＵＭＴＳネットワークのＣＳＦＢ呼を完了後にＬＴＥネットワークにキャンプバックする移動体通信装置および方法を示すフローチャートを表している。同様に、移動体通信装置は、始めにＬＴＥネットワークにキャンプオンし、次いでＵＭＴＳネットワークに切り替り、ＣＳＦＢ呼を実行する。まず、移動体通信装置は、ＣＳＦＢ呼の完了を検出し（ステップＳ４０１）、次いで、ＣＳＦＢ呼の完了に応じて任意の発信のＣＳサービスをブロックする（ステップＳ４０２）。次いで、ＵＭＴＳネットワークの進行中のパケット交換（ＰＳ）セッションが存在するかどうか判定し（ステップＳ４０３）、存在しない場合、移動体通信装置は、アイドルモードに入り、アイドルモードのセル再選択手順を実行し（ステップＳ４０４）、ＬＴＥネットワークへのキャンピングバックに応じて発信のＣＳサービスのブロックを解除する（ステップＳ４０５）。
【００２１】
ステップＳ４０３の後、ＵＭＴＳネットワークの進行中のＰＳセッションが存在する場合、移動体通信装置は、システム情報ブロックタイプ１９（ＳＩＢ１９）がＵＭＴＳネットワークから受信されているかどうか判定し（ステップＳ４０６）、受信されていない場合、移動体通信装置は、解放理由のないシグナリング接続解放通知（ＳＣＲＩ）をＵＭＴＳネットワークに送信する（ステップＳ４０７）。または、ＳＩＢ１９が受信されている場合、移動体通信装置は、ＳＩＢ１９がＬＴＥネットワークの情報を含むかどうか判定する（ステップＳ４０８）。特に、ＬＴＥネットワークの情報は、ＳＩＢ１９の“ＥＵＴＲＡ情報”情報要素（ＩＥ）に含まれる。ＳＩＢ１９がＬＴＥネットワークの情報を含まない場合、前記方法は、解放理由のないＳＣＲＩが送信されないステップＳ４０７に進む。または、ＳＩＢ１９がＬＴＥネットワークの情報を含む場合、移動体通信装置は、“ＵＥリクエストＰＳデータセッション終了（ＵＥ Ｒｅｑｕｅｓｔｅｄ ＰＳ Ｄａｔａ Ｓｅｓｓｉｏｎ Ｅｎｄ）”に設定された解放理由を有するＳＣＲＩをＵＭＴＳネットワークに送信する（ステップＳ４０９）。
【００２２】
次いで、移動体通信装置は、ＳＣＲＩに応じたレイヤ２確認応答（Ｌａｙｅｒ ２ Ａｃｋｎｏｗｌｅｄｇｅｍｅｎｔ； Ｌ２ Ａｃｋ）をＵＭＴＳネットワークから受信し（ステップＳ４１０）、Ｌ２ Ａｃｋの受信に応じてガードタイマーを開始する（ステップＳ４１１）。具体的に言えば、ガードタイマーは、「ＮｏｎＥＵＴＲＡ＿Ｃｏｎｎｅｃｔｉｏｎ＿Ｒｅｌｅａｓｅ」タイマーと呼ぶ。次に、ガードタイマーが無効になる前にＲＲＣ接続解放通知がＵＭＴＳネットワークから受信されているかどうか判定する（ステップＳ４１２）。ガードタイマーが無効になる前にＲＲＣ接続解放通知がＵＭＴＳネットワークから受信されていない場合、移動体通信装置は、ローカルＲＲＣ接続解放手順を実行してアイドルモードに入り、アイドルモードのセル再選択手順を実行し（ステップＳ４１３）、次いでＬＴＥネットワークへのキャンピングバックに応じて発信のＣＳサービスのブロックを解除する（ステップＳ４１４）。または、ガードタイマーが無効になる前にＲＲＣ接続解放通知がＵＭＴＳネットワークから受信されている場合、移動体通信装置は、ガードタイマーを停止してアイドルモードに入り、アイドルモードのセル再選択手順を実行し（ステップＳ４１５）、次いでＬＴＥネットワークへのキャンピングバックに応じて発信のＣＳサービスのブロックを解除する（ステップＳ４１６）。
【００２３】
注意するのは、図４Ａおよび４Ｂの実施形態は、ＣＳＦＢ呼がＬＴＥネットワークとＵＭＴＳネットワーク間に実行されるケースに特定なものであるが、本発明は、ＣＳＦＢ呼が他のＬＴＥベースのネットワーク間に実行される他のケースにも用いられることができる。他のＬＴＥベースのネットワークは、例えば、ＬＴＥ−ＡｄｖａｎｃｅｄまたはＴＤ−ＬＴＥネットワーク、および例えばＣＤＭＡ２０００ １ｘ、ＣＤＭＡ２０００ １ｘＥＶ−ＤＯ、またはＴＤ−ＳＣＤＭＡネットワークなどの他の３Ｇセルラーネットワーク、または例えばＧＰＲＳまたはＥＤＧＥネットワークなどの他の２.５Ｇセルラーネットワークであり、本発明はこれに限定されるものではない。
【００２４】
本願では、アイドルモードのセル再選択手順は、３ＧＰＰ ＴＳ２５.３０４仕様、ｖ１０.２.０の第５.２.６.１.４章に準拠した優先度ベースの（ｐｒｉｏｒｉｔｙ ｂａｓｅｄ）セル再選択、または３ＧＰＰ ＴＳ２５.３０４仕様、ｖ１０.２.０の第５.２.６.１.４章に準拠した優先度ベースでない（ｎｏｎ−ｐｒｉｏｒｉｔｙ ｂａｓｅｄ）セル再選択であることができ、本発明はこれを限定するものではない。アイドルモードのセル再選択手順の詳細な説明は、本発明の範囲外であるため、ここでは省略され、参照は３ＧＰＰ ＴＳ２５.３０４仕様、ｖ１０.２.０にされることができる。
【００２５】
注意するのは、本発明は、非ＬＴＥネットワークのＣＳＦＢ呼を完了した時に進行中のＰＳセッションを有する移動体通信装置が、接続モードに留まり、ハンドオーバーがＬＴＥベースのネットワークに戻るのを導くように用いられるが非ＬＴＥネットワーク（例えばＵＭＴＳネットワーク用のＲＲＣ接続解放通知またはＵＴＲＡＮメッセージからのハンドオーバー）で展開されない可能性があるネットワークメッセージを待つ代わりに、自動的にアイドルモードに入り、アイドルモードのセル再選択手順を実行するのを確実にする。有利なことに、アイドルモードのセル再選択手順は、移動体通信装置デバイスに可能な限り早くＬＴＥベースのネットワークにキャンプバックする機会を与える。
【００２６】
この発明は、実施例の方法及び望ましい実施の形態によって記述されているが、これらを限定するものではないことは理解される。当業者は、本発明の精神と範囲から逸脱しない種々の修正及び変更を行い得る。よって、本発明の範囲は、以下の請求項及びその等価のものによって規定されて保護される。
【符号の説明】
【００２７】
１００  無線通信環境
１１０  移動体通信装置
１０  無線モジュール
２０  制御モジュール
１２０  ＬＴＥベースのネットワーク
１２１  アクセスネットワーク
１２２  コアネットワーク
１３０  非ＬＴＥネットワーク
１３１  アクセスネットワーク
１３２  コアネットワーク
【図１】
2014060719.tif 000003
【図２】
2014060719.tif 000004
【図３】
2014060719.tif 000005
【図４】
2014060719.tif 000006
【図５】
2014060719.tif 000007